(57)【特許請求の範囲】
【請求項１】
それぞれが対象物に付けられたタグからタグ識別子を読み取り、前記タグ識別子をサービスプロビジョニングサーバ（ＳＰＳ）に転送するためのタグリーダ（ＴＲ）を含む複数の通信装置（ＣＤ１、ＣＤ２、ＣＤ３）を備える通信システムにおけるサービスプロビジョニング方法であって、前記サービスプロビジョニングサーバが通信ネットワークを介して前記通信装置に結合され、前記タグが一意のタグ識別を有し、前記サービスプロビジョニング方法が、
ａ０．前記複数の通信装置（ＣＤ１、ＣＤ２、ＣＤ３）のうちの第１の通信装置（ＣＤ１）によってタグを読み取るときに、サービスのサービスディスクリプションを、読み取られたタグ識別と共にサービスリストに格納するステップと、
ａ１．前記サービスに関連付けられたトリガ情報を前記サービスディスクリプションと共に前記リストに格納するステップと
ａ２．前記複数の通信装置（ＣＤ１、ＣＤ２、ＣＤ３）のうちの第２の通信装置（ＣＤ２）によって、前記タグのタグ識別を読み取るときのトリガ情報を含むトリガメッセージを前記サービスプロビジョニングサーバ（ＳＰＳ）に転送するステップであって、前記トリガ情報が、読み取られた前記タグのタグ識別および前記タグリーダを一意に識別するリーダ識別を含む、ステップと、
ｂ．前記サービスリストに格納されているサービスに関連付けられた前記トリガ情報に基づいて前記サービスのサービスディスクリプションを判定するステップと、
ｃ．取り出された前記サービスディスクリプションに基づいて前記サービスプロビジョニングサーバ（ＳＰＳ）によって前記サービスを前記第１の通信装置（ＣＤ１）に対して実行するステップと
をさらに含むことを特徴とする、サービスプロビジョニング方法。
【請求項２】
それぞれが対象物に付けられたタグからタグ識別子を読み取り、前記タグ識別子をサービスプロビジョニングサーバ（ＳＰＳ）に転送するためのタグリーダ（ＴＲ）を含む複数の通信装置（ＣＤ、ＣＤ１、ＣＤ２、ＣＤ３）を備える通信システムにおいてサービスをプロビジョニングするためのサービスプロビジョニングシステムであって、前記サービスプロビジョニングサーバ（ＳＰＳ）が通信ネットワークを介して前記通信装置に結合され、前記タグが一意のタグ識別を有し、前記サービスプロビジョニングシステムが、
ａ０．前記タグのタグ情報を読み取るときにサービスのサービスディスクリプションを読み取られたタグ識別と共にサービスリストに格納し、前記サービスに関連付けられたトリガ情報を前記サービスディスクリプションと共に前記サービスリストに格納するように構成された前記複数の通信装置（ＣＤ１、ＣＤ２、ＣＤ３）のうちの第１の通信装置（ＣＤ１）と
ａ．前記タグのタグ識別を読み取るときのトリガ情報を含むトリガメッセージを前記サービスプロビジョニングサーバ（ＳＰＳ）に転送するように構成された前記複数の通信装置（ＣＤ１、ＣＤ２、ＣＤ３）のうちの第２の通信装置（ＣＤ２）であって、前記トリガ情報が、読み取られた前記タグのタグ識別および前記タグリーダを一意に識別するリーダ識別を含む、第２の通信装置（ＣＤ２）と、
ｂ．前記サービスリストに格納されているサービスに関連付けられた前記トリガ情報に基づいて前記サービスのサービスディスクリプションを判定するように構成された装置と、
ｃ．取り出された前記サービスディスクリプションに基づいて前記サービスを前記第１の通信装置に対して実行するように構成されたサービスプロビジョニングサーバ（ＳＰＳ）と
をさらに備えることを特徴とする、サービスプロビジョニングシステム。
【請求項３】
それぞれが対象物に付けられたタグからタグ識別子を読み取り、前記タグ識別子をサービスプロビジョニングサーバ（ＳＰＳ）に転送するためのタグリーダ（ＴＲ）を含む複数の通信装置（ＣＤ１、ＣＤ２、ＣＤ３）を備える通信システムにおける使用のための前記サービスプロビジョニングサーバ（ＳＰＳ）であって、前記サービスプロビジョニングサーバ（ＳＰＳ）が通信ネットワークを介して前記通信装置に結合され、前記タグが一意のタグ識別を有し、前記サービスプロビジョニングサーバ（ＳＰＳ）が、
ａ０．読み取られた前記タグ識別と共にサービスリストに格納するために、前記複数の通信装置（ＣＤ１、ＣＤ２、ＣＤ３）のうちの第１の通信装置（ＣＤ１）によってタグを読み取るときに前記第１の通信装置からサービスのサービスディスクリプションを取り出すように構成されたサービスディスクリプション取り出し部（ＳＲＰ）と、
ａ１．前記サービスリスト内の前記サービスディスクリプションと共に前記サービスに関連付けられたトリガ情報（読み取られた前記タグの前記タグ識別を含む）を格納するように構成された格納部（ＳＰ）と、
ａ２．前記複数の通信装置（ＣＤ１、ＣＤ２、ＣＤ３）のうちの第２の通信装置（ＣＤ２）から、前記タグのタグ識別を読み取るときに前記サービスプロビジョニングサーバ（ＳＰＳ）に転送されたトリガ情報を含むトリガメッセージを受信するように構成されたトリガ受信部（ＴＲＰ）であって、前記トリガ情報が、読み取られた前記タグのタグ識別および前記タグリーダを一意に識別するリーダ識別を含む、トリガ受信部（ＴＲＰ）と、
ｂ．前記サービスリストに格納されているサービスに関連付けられた前記トリガ情報に基づいて前記サービスのサービスディスクリプションを判定するように構成されたサービスディスクリプション判定部（ＳＤＤＰ）と、
ｃ．取り出された前記サービスディスクリプションに基づいて前記サービスを前記第１の通信装置（ＣＤ１）に対して実行するように構成されたサービス実行部（ＳＥＰ）と
を備えることを特徴とする、サービスプロビジョニングサーバ（ＳＰＳ）。
【請求項４】
前記サービスプロビジョニングサーバ（ＳＰＳ）が前記サービスリストを格納するためのリスト保持部（ＬＨＰ）を含むことを特徴とする、請求項３に記載のサービスプロビジョニングサーバ（ＳＰＳ）。
【発明の詳細な説明】
【技術分野】
【０００１】
本発明は、請求項１のプリアンブルによるサービスプロビジョニング方法、および請求項４のプリアンブルによるサービスプロビジョニングのための関連システムに関する。
【背景技術】
【０００２】
端末装置にプロビジョニングされるべきサービスを決めるためのそのような方法および関連システムは、当技術分野ではすでによく知られている。
【０００３】
ＲＦＩＤタグ識別など自動識別のタッチおよび結果としての読取りは、一定のサービスを生じさせる、すなわち常に同一のサービスがプロビジョニングされる。
【０００４】
これは、現在の技術水準では、ＲＦＩＤタグ識別などの自動識別と、文書、ムービ、プレゼンテーション、写真などのようなデジタルコンテンツの配信またはプロビジョニングなどのサービスとの間の単一の一定の関連付けしかできないということのためである。関連付けの決定は、タグ自体またはネットワークに配置することができる。一実施例として：コークのボトルに付けられたＲＦＩＤタグがピクチャに関連付けられる。タグをタッチすると、常に同一のピクチャまたはムービ、例えばブランドＹのコーラのコマーシャルが見える。
【０００５】
さらに、ＲＦＩＤタグ―情報の関連付けを豊かにするために、ある特定の静的コンテキストトピックが使用されるアプリケーションがすでに存在する。例えば、支払のために、支払サーバにＲＦＩＤタグ識別子（買うべき対象物を指す）が送信されるだけでなく、銀行口座のリファレンスも送信される。しかし、送信されるコンテキスト情報は静的である。
【０００６】
その結果として、現在、サービスプロビジョニングが対象物に関連付けられた自動識別に基づくシステムにおいて端末装置へのサービスプロビジョニングをパーソナライズすることは不可能である。
【発明の概要】
【発明が解決しようとする課題】
【０００７】
本発明の目的は、上記の知られているタイプの方法、システム、および関連装置を提供することであるが、ある一意のタグ識別に関するサービスをより良くパーソナライズすることが可能である。
【課題を解決するための手段】
【０００８】
本発明によれば、この目的は、請求項１に記載の方法、請求項４に記載のシステム、および請求項５に記載のサービスプロビジョニングサーバによって達成される。
【０００９】
実際、複数の通信装置のうちの１つの通信装置によって、タグのタグ識別を読み取るときに、ということのために、通信装置が、トリガ情報を含むトリガメッセージをサービスプロビジョニングサーバに転送し、それに続いて、サービスプロビジョニングサーバがリストに格納されているサービスに関連付けられたトリガ情報に基づいてサービスのサービスディスクリプションを判定し、サービスプロビジョニングサーバがこのサービスを実行し、この場合、実行されるべきサービスはリストに格納されているサービスディスクリプションに定義されている。サービスは、特定の状況における人に専用のサービスディスクリプションによってパーソナライズされたサービスでよい。
【００１０】
本発明の他の特徴が、請求項２および請求項６に記載されている。
【００１１】
さらに、サービスプロビジョニング方法および関連システムは、最初に、複数の通信装置のうちの第１の通信装置によって何らかの対象物に添付されたタグを読み取り、それに続いて、読み取られたタグのタグ識別と共にこの読み取られたタグに関連付けるためにサービスのサービスディスクリプションを提供し、それに続いて、サービスおよびサービスリスト内の対応するサービスディスクリプションに関連付けられたトリガ情報を格納することによるサービスのセットアップ、すなわちパーソナライズされたサービスのセットアップを含んでよい。このタグに関連付けるためのサービスのサービスディスクリプションの提供は、ユーザがテキストを提供し、ユーザがリストからサービスディスクリプションを選択し、ユーザがサービステンプレートを選択し、それを設定することにより行うことができる。代替として、ユーザは、読み取られたタグのタグ識別を格納し、後の段階で、読み取られたタグにサービスを関連付けることができる。
【００１２】
トリガ情報は、読み取られたタグのタグ識別およびトリガリストからの通信装置識別のうちの少なくとも１つを含み、この場合、この通信装置は、サービスリストに定義されているパーソナライズされたサービスの実行をトリガするための装置である。このトリガ情報は、タグを読み取った後に通信装置によって生成されたタグ読取りメッセージから得られるか、または代替として、サービスをセットアップする第１の装置のユーザによって提供されることが可能である。
【００１３】
提供されるべきサービスに関連付けられたサービスディスクリプションは、サービスのディスクリプション、すなわちサービスのタイプ、サービス名、サービスのＵＲＩ、サービスのエンドポイントを指定するＵＲＩ、ＡＰＩのリファレンス、サービススクリプト、サービススクリプトのロケーション、さらに、例えばＩＰアドレス、ユーザ名、ＵＲＩ、電話番号などによって特定されたいかなる通信装置でもよいサービスを提供するための宛先を含むことができる。
【００１４】
請求項において使用される用語「備える（ｃｏｍｐｒｉｓｉｎｇ）」は、その後列挙される手段に限定されると解釈されるべきではないことに留意されたい。したがって、「手段ＡおよびＢを備える装置」という表現の範囲は、構成要素ＡおよびＢのみから成る装置に限定されるべきではない。これは、本発明に関しては、装置の単に関連する構成要素がＡおよびＢであることを意味する。
【００１５】
同様に、やはり請求項において使用される用語「結合される（ｃｏｕｐｌｅｄ）」は、直接接続のみに限定されると解釈されるべきではないことに留意されたい。したがって、「装置Ｂに結合された装置Ａ」という表現の範囲は、装置Ａの出力が装置Ｂの入力に直接接続されている装置またはシステムに限定されるべきではない。これは、他の装置または手段を含む経路であり得るＡの出力とＢの入力との間の経路が存在することを意味する。
【００１６】
添付の図面に関連して行われる実施形態の以下の説明を参照することにより、本発明の上記および他の目的および特徴がより明らかになり、本発明自体が最も良く理解されることになる。
【図面の簡単な説明】
【００１７】
【図１】本発明によるサービスプロビジョニング方法および関連装置の機能図である。
【図２】第１の実施形態における動作の流れ図である。
【発明を実施するための形態】
【００１８】
以下のパラグラフでは、図１における図を参照しながら、サービスプロビジョニング方法および関連装置の実装形態が説明される。
【００１９】
この説明の第１のパラグラフでは、図１に示されているこのサービスプロビジョニングシステムの主要要素が説明される。第２のパラグラフでは、前述の要素間の全ての接続が定義される。
【００２０】
続いて、図１に提示されている前述システムの全ての関連機能手段が説明され、それに続いて全ての相互接続が説明される。それに続くパラグラフでは、本発明の方法によるサービスプロビジョニングの実際の実行が説明される。
【００２１】
本発明の第１の関連要素は、それぞれが対象物に付けられたタグからタグ識別子を読み取り、前記タグ識別子をサービスプロビジョニングサーバに転送するためのそれぞれのタグリーダＴＲ．．ＴＲ２を含む通信装置ＣＤ、ＣＤ１、ＣＤ２、ＣＤｘである。簡単にするために、全ての通信装置が図１に示されているわけではない。
【００２２】
そのようなタグは、ＲＦＩＤコード、バーコード（１次元または２次元）でよい。さらに、対象物情報は、対象物の形状または視覚的外観によって判定することも可能であり、この場合、対象物情報は、画像認識手段を適用することにより取得することができる。対象物の認識に基づいて、プロビジョニングされるべきサービスは、サービスがやはり対象物に関連する場合には、対象物に関連するサービスの予め定義されたセットから選択することができる。
【００２３】
さらに、提供されるべきサービスを判定し、それに続いてこの判定されたサービスを提供することができるサービスプロビジョニングサーバＳＰＳがある。
【００２４】
さらに、提供されるべきサービスを判定し、それに続いてこのサービスを提供するために必要とされる情報である追加のおよび関連するトリガ情報と共に提供されるべきサービスのディスクリプションを含む、提供されるべきサービスの登録を処理するサービス登録サーバＳＲＳがあり得る。
【００２５】
通信装置ＣＤ、ＣＤ１．．ＣＤｘのそれぞれは、例えば多分ＧＰＲＳ機能を有するＧＳＭモバイルネットワークまたは固定通信ネットワークである利用に適した通信ネットワークのいずれかを介して、サービスプロビジョニングサーバＳＰＳに結合される。他の実施形態では、ブラウジング装置ＢＤおよびサービスプロビジョニングサーバＳＰＳを結合するために、固定、モバイル、およびインターネットネットワーク接続インフラストラクチャの任意の他の組合せを使用することも可能である。
【００２６】
サービスプロビジョニングサーバＳＰＳは、固定または無線ＩＰ、メッセージング、ＡＰＩ、ウェブサービス、データベースコネクタなどのような利用に適した通信リンクのいずれかを介してサービス登録サーバに結合されることが可能である。
【００２７】
通信装置ＣＤは、対象物との対話中に、問い合わされた対象物に関連付けられたタグ識別子を取り出すように構成されたタグ取り出し部ＴＲと、サービスプロビジョニングサーバＳＰＳに向けられる少なくとも読み取られたタグ識別子を含むメッセージを生成するように構成された処理部ＤＲＯＰと、タグのタグ識別を読み取るときのトリガ情報を含むトリガメッセージをサービスプロビジョニングサーバＳＰＳに転送するように構成されたインターフェース部ＩＰとを備える。さらにトリガメッセージは、タグを読み取った通信装置の識別を含んでもよい。タグの読取り中に、ＮＦＣコード、ＲＦＩＤタグ、バーコードなどが取得される。
【００２８】
サービスプロビジョニングサーバＳＰＳは、複数の通信装置ＣＤ、ＣＤ１、ＣＤ２、ＣＤｘのうちの通信装置ＣＤ２から、前述のタグのタグ識別を読み取るときに転送されたトリガ情報を含むトリガメッセージを受信するためのトリガ受信部ＴＲＰと、リストに格納されているサービスに関連付けられたトリガ情報に基づいてサービスのサービスディスクリプションを判定することができるサービスディスクリプション判定部ＳＤＤＰを備える。さらに、サービスプロビジョニングサーバＳＰＳは、取り出されたサービスディスクリプションに基づいてサービスを実行するように構成されたサービス実行部ＳＥＰを含む。
【００２９】
さらに、サービスプロビジョニングサーバＳＰＳは、サービスのセットアップのために、読み取られた前記タグ識別およびタグ識別を読み取る通信装置識別のうちの少なくとも１つと共にリストに格納するために複数の通信装置ＣＤ、ＣＤ１、ＣＤ２、ＣＤｘのうちの第１の通信装置ＣＤ１によってタグを読み取るときに第１の通信装置からサービスのサービスディスクリプションを取り出すことができるサービスディスクリプション取り出し部ＳＲＰを含んでよい。
【００３０】
第２に、サービスプロビジョニングサーバＳＰＳは、リスト内の前記サービスディスクリプションと共にサービスに関連付けられたトリガ情報（読み取られた前記タグのタグ識別を含む）を格納するように構成された格納部ＳＰを含む。
【００３１】
最後に、サービスプロビジョニングサーバＳＰＳは、リストを格納するためのリスト保持部ＬＨＰを含んでよい。
【００３２】
代替として、サービス登録サーバＳＲＳは、リストに格納されたサービスに関連付けられた前記トリガ情報に基づいてサービスのサービスディスクリプションを格納するためのリストを保持するためのリスト保持部ＬＨＰ’を含んでよい。リスト保持部は、全てのサービスデータを格納するためのデータベースに結合されてよい。
【００３３】
通信装置ＣＤは、同時に処理部ＰＲＯＰにさらに結合されたタグ取り出し部ＴＲの入力端子でもある第１の入力端子を有する。処理部ＰＲＯＰは、同時に通信装置ＣＤの出力端子でもある出力端子を有するインターフェース部ＩＰにさらに結合される。この出力端子は、通信ネットワークＣＮにさらに結合される。
【００３４】
その他の通信装置ＣＤ１．．ＣＤ３の構造は、通信装置ＣＤの構造と同じである。
【００３５】
サービスプロビジョニングサーバＳＰＳは、同時にトリガ受信部ＴＲＰの入力端子でもある第１の入力端子を有する。トリガ受信部ＴＲＰは、サービスディスクリプション判定部ＳＤＤＰにさらに結合され、サービスディスクリプション判定部ＳＤＤＰは、サービス実行部ＳＥＰに結合される。サービス実行部ＳＥＰは、同時にサービスプロビジョニングサーバＳＰＳの出力端子でもある出力端子を有する。サービスディスクリプション判定部ＳＤＤＰは、内部結合を介してリスト保持部ＬＨＰにさらに結合される。リスト保持部ＬＨＰがサービス登録サーバに組み込まれている代替状況では、サービスディスクリプション判定部ＳＤＤＰは、固定または無線ＩＰ、メッセージングインターフェース、ＡＰＩ、ウェブサービス、データベースコネクタなどのような外部接続を介してリスト保持部ＬＨＰに結合される。リスト保持部ＬＨＰは、データベースにさらに結合されてよい。
【００３６】
さらに、サービスプロビジョニングサーバは、同時に格納部ＳＰに結合されたサービスディスクリプション取り出し部ＳＲＰの入力端子でもある別の入力端子を有し、格納部ＳＰは、実装形態に応じて内部結合または外部結合を介してリスト保持部ＬＨＰに結合される。
【００３７】
本発明の動作、最初に特にサービスセットアップ段階を説明するために、ジョンがオルセー美術館を訪問すると仮定する。彼は、「友人がオルセー美術館を訪問したら教えてください」というサービスをセットアップしようと思う。具体的には、彼は、彼の親友オリーブがこの美術館を訪問したら通知してもらいたいと思う。したがって、美術館を出るとき、（１）（図２参照）彼は、彼の携帯電話で入口にあるサインにタッチし、そのときサインのタグ識別がジョンの電話である通信装置ＣＤ１のタグ取り出し部ＴＲ１によって読み取られる。次いで、処理部ＰＲＯＰが、オルセー美術館の入口にあるサインのタグ識別子である読み取られたタグ識別子を含むサービスセットアップメッセージを生成し、このメッセージはサービスプロビジョニングサーバＳＰＳに向けられる。通信装置ＣＤ１のインターフェース部ＩＰ１が、タグのタグ識別を読み取るときのサービスセットアップ情報を含む生成されたサービスセットアップメッセージをサービスプロビジョニングサーバＳＰＳに転送する。さらに、メッセージはまた、ここではオリーブの電話の識別、例えば携帯電話番号である、サービスがそのためにトリガされるべきタグを読み取るときの通信装置の識別を含んでよい。
【００３８】
次いで、サービスプロビジョニングサーバＳＰＳのサービスディスクリプション取り出し部ＳＲＰが、ジョンの携帯電話である第１の通信装置からサービスのサービスセットアップメッセージに含まれているサービスディスクリプションを取り出し、オルセー美術館の入口にあるサインのタグ識別子である読み取られたタグ識別と共にリストに格納し、通信装置識別がサービストリガ基準でもある読み取られたタグ識別のタグを読み取る。意図された通信装置識別は、オリーブのモバイル装置の識別である。
【００３９】
格納部ＳＰは、サービスリスト内のサービスディスクリプションと共に「友人がオルセー美術館を訪問したら教えてください」というサービスに関連付けられたトリガ情報を格納する。
【００４０】
サービスリストは、サービスプロビジョニングサーバ内かまたは代替としてサービス登録サーバＳＲＳ内のリスト保持部ＬＨＰによって維持することができる。リスト保持部は、全てのサービスデータを格納するためのデータベースに結合されてよい。
【００４１】
本発明の他の動作、特にサービスセットアップ段階を説明するために、人、オリーブが、オルセー美術館を訪問すると仮定する。彼女は、（図２の（２）１）入口にあるサインをタッチすることによりチケット代を支払い、そのとき、サインのタグ識別がオリーブの電話である通信装置ＣＤのタグ取り出し部ＴＲ１によって読み取られる。次いで、処理部が、オルセー美術館の入口にあるサインのタグ識別子である読み取られたタグ識別子を含むトリガメッセージを生成し、このトリガメッセージはサービスプロビジョニングサーバＳＰＳに向けられる。通信装置ＣＤ１のインターフェース部ＩＰが、タグのタグ識別を読み取るときのトリガ情報を含む生成されたトリガメッセージをサービスプロビジョニングサーバＳＰＳに転送する。さらに、トリガメッセージは、オリーブの電話の識別であるタグを読み取った通信装置の識別をも含む。
【００４２】
サービスプロビジョニングサーバＳＰＳのトリガ受信部ＴＲＰが、通信装置ＣＤ１から、オルセー美術館の入口にあるサインに付けられたタグのタグ識別を読み取るときに転送されたトリガ情報を含むトリガメッセージを受信する。このメッセージ内のトリガ情報は、オルセー美術館の入口にあるサインに付けられたタグのタグ識別、およびオリーブの電話の識別であるタグを読み取った通信装置の識別を含む。
【００４３】
次いで、サービスディスクリプション判定部ＳＤＤＰがリストに格納されているサービスに関連付けられたトリガ情報に基づいてサービスのサービスディスクリプションを判定する。実際には、これは、サービスディスクリプション判定部ＳＤＤＰがトリガ情報のアイテムを含むリスト内のエントリを探し、それに基づいて、関連付けられたサービスを判定することを意味し、この実施形態では、トリガ情報は、オルセー美術館の入口にあるサインに付けられたタグのタグＩＤおよびオリーブの電話の識別、例えば携帯電話番号であり、サービスは、「友人がオルセー美術館を訪問したら教えてください」というサービスである。さらに、リストのエントリは、とりわけ、ここでは「友人がオルセー美術館を訪問したら教えてください」というサービスおよび友人がその友人の携帯電話番号によって識別される友人のリストであるサービスのタイプを示すサービスディスクリプションを含む。このエントリには、ジョンの電話番号が見られる。
【００４４】
したがって、オルセー美術館の入口にあるサインに付けられたタグのタグ識別、およびここではオリーブの電話の識別であるタグを読み取った通信装置の識別の検出時に、サービスディスクリプション判定部ＳＤＤＰが、リストの中に「友人がオルセー美術館を訪問したら教えてください」というサービス、ならびに対応するサービスディスクリプションの中にサービスパラメータおよびサービスの宛先を見つける。サービスの宛先は、ここではジョンであり、ジョンの携帯電話番号は、サービスの宛先としてリストに格納されている。
【００４５】
それに続いて、サービス実行部ＳＥＰが、取り出されたサービスディスクリプションに基づいてサービスを実行する。サービス実行部ＳＥＰは、ジョンがオリーブに最も面白い部分および美術館でオリーブが見なければならないアイテムを教えることができるように、オリーブの携帯電話とジョンの携帯電話との間の電話接続のセットアップを開始する。
【００４６】
リストは、サービスプロビジョニングサーバ内かまたは代替としてサービス登録サーバＳＲＳ内のリスト保持部ＬＨＰによって維持することができる。リスト保持部は、全てのサービスデータを格納するためのデータベースに結合されてよい。
【００４７】
複数のサービスプロビジョニングサーバが複数のサービス登録サーバとインターフェースすることに留意されたい。適切なサービス登録サーバを発見する／見つけるために、オブジェクトネーミングサービスインフラストラクチャを使用することができる。
【００４８】
上記第２の実施形態では、実施形態は以下のように動作する。ジャックがニコールのためにきれいなバースデーカードを買う。ジャックは、ニコールがカード（本発明の範囲外）にタッチするとニコールが自分の電話上でパーソナライズされたムービを取得するように、ネットワーク内のサーバを設定する。さらに、カードを送信する前に、ジャックも（１）自分の携帯電話でカードにタッチし、それに続いて、ジャックの携帯電話が（２）このイベントをサービスプロビジョニングサーバＳＰＳに送信する。（２）サービスプロビジョニングサーバＳＰＳと対話している間に、ジャックは「ポストカード通知サービス」を選択する。その結果として、（３）サービスプロビジョニングサーバＳＰＳがサービス登録サーバＳＲＳに適切なイベントが検出されたときにシナリオを実現するルールを登録するように指令する：「このカードが誰かにタッチされたらジャックにアラートする」。（４）ニコール（または誰かほかの人）がムービを見るためにカードにタッチするたびに、（５）イベントがサービスプロビジョニングサーバＳＰＳに送信され、（６）サービスプロビジョニングサーバＳＰＳがそれを適切なサービス登録サーバＳＲＳに転送し、（７）サービス登録サーバＳＲＳがサービスプロビジョニングサーバＳＰＳに（８）ジャックに通知するように指令する。代替として、サービス登録サーバＳＲＳは、サービスプロビジョニングサーバＳＰＳの関与なしに、ジャックにアラートするように直接イニシアチブを取ることもできる。
【００４９】
最後に、上記では本発明の実施形態は機能ブロックの点から説明されていることに留意されたい。上記で提供されたこれらのブロックの機能説明から、これらのブロックの実施形態をよく知られている電子部品を用いてどのように製造することができるかは、電子装置を設計する当業者には明らかであろう。したがって、機能ブロックのコンテンツの詳細なアーキテクチャは提供されない。
【００５０】
上記では本発明の原理が特定の装置に関連して説明されてきたが、この説明は、単に例として、添付の特許請求の範囲に定義されている本発明の範囲に対する限定としてではなく、行われることをはっきり理解されたい。
【図１】
0005757875.tif 000002
【図２】
0005757875.tif 000003